【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
（ａ）ドライサイド（９）およびウェットサイド（１０）を有し、該ウェットサイドが蒸発液体により少なくとも部分的に湿らされている複数のプレート（６）であって、それぞれが前記プレートの前記ドライサイドを通るよう作動気体流（２）を案内するための少なくとも１つの第１チャネル（４）、前記プレートの前記ドライサイドを通るよう生成流体流（１）を案内するための第２チャネル（３）、および前記プレートの前記ウェットサイドを通るよう前記作動気体流を案内するための第３チャネル（５）を形成している当該複数のプレートと、
（ｂ）前記プレートに形成され、前記蒸発液体を保持し前記プレートの前記ウェットサイドに移送するためのトラフ（７２）と、を具え、
（ｃ）前記複数のプレートは、ウェットサイド同士が対向しかつドライサイド同士が対向するよう、間隔をおいて平行に配列され、さらに使用時には、前記プレートの前記ドライサイドからの前記作動気体流が前記プレートを分離する前記間隔に流入して前記ウェットサイド上で流れるようにするとともに、
使用時には、前記生成流体が前記プレートの前記ドライサイド上を通って冷却されるようにしたことを特徴とする間接蒸発冷却器。
【請求項２】
前記プレート間の間隔は、前記プレート間を流れる前記気体の圧力降下が最小限となるよう選択されていることを特徴とする請求項１に記載の間接蒸発冷却器。
【請求項３】
さらに、前記プレート間の間隔は１．５から３．５ミリメートルの間で選択されていることを特徴とする請求項２に記載の間接蒸発冷却器。
【請求項４】
さらに、前記プレート間の間隔は、１．５０から１．８５ミリメートル、２．００から２．３５ミリメートル、２．１０から２．９０ミリメートル、および３．１０から３．５０ミリメートルからなる範囲の群から選択されていることを特徴とする請求項３に記載の間接蒸発冷却器。
【請求項５】
前記プレートを通る孔（１１）をさらに具え、該孔は、これを通って前記作動流が前記ドライサイドから前記ウェットサイドに至り、続いて前記ウェットサイドを通って流れるのを許容するよう構成されていることを特徴とする請求項１に記載の間接蒸発冷却器。
【請求項６】
前記孔を通過する前に前記作動流が前記間接蒸発冷却器から出て行くのを阻止するよう寸法および形状が定められたバリア（１２）をさらに具えたことを特徴とする請求項５に記載の間接蒸発冷却器。
【請求項７】
前記ドライサイド（４）上の１以上のチャネルが前記ウェットサイド（５）上の１以上のチャネルに対し角度をもって方向付けられ、前記プレートの前記ドライサイドを通る流体の流れの方向が前記プレートの前記ウェットサイドを通る気体の流れの方向と実質的に直交していることを特徴とする請求項１に記載の間接蒸発冷却器。
【請求項８】
前記プレートの前記ドライサイドを通って流れるのに先立ち、前記生成流および前記作動流を除湿するためのエレメントをさらに具えたことを特徴とする請求項１に記載の間接蒸発冷却器。
【請求項９】
乾燥剤除湿器（２５）と、前記生成流または前記作動流の少なくとも一つの流れが、前記プレートを通るに先立って前記乾燥剤除湿器を通過するようにするするための手段とをさらに具えたことを特徴とする請求項１に記載の間接蒸発冷却器。
【請求項１０】
前記生成流は、冷却される空間から再循環され、作動流および生成流の少なくとも一方として再使用されることを特徴とする請求項１に記載の間接蒸発冷却器。
【請求項１１】
前記チャネルは、前記プレートのサイドおよびこれに対向する隣接プレートの表面を通る流体の流れの方向に平行に延在する複数のリブと、前記プレートの波部とのいずれかを具えるチャネルガイド（８）をなしていることを特徴とする請求項１に記載の間接蒸発冷却器。
【請求項１２】
空間の冷却、または前記空間の加温および加湿の補助を行うために使用可能で、
第１および第２位置を有するサイクル制御ダンパーをさらに具え、該サイクル制御ダンパーが前記第１位置にあるときに、前記作動気体流が雰囲気に放出されるとともに前記生成流が前記空間に向けられて冷却を行い、前記サイクル制御ダンパーが前記第２位置にあるときに、前記生成流が雰囲気に放出されるとともに前記作動気体流が前記空間に向けられて加温および加湿を行う、
ことを特徴とする請求項１に記載の間接蒸発冷却器。
【請求項１３】
前記生成流体および作動気体流の運動を生じさせるために配設された少なくとも一つのファン（２０）をさらに具えたことを特徴とする請求項１に記載の間接蒸発冷却器。
【請求項１４】
前記トラフには、一組のウェットサイド間の空間から他の組のウェットサイド間の空間に流体が流れるのを許容するよう、間隔を置いて複数の液体孔（７３）が設けられていることを特徴とする請求項１に記載の間接蒸発冷却器。
【請求項１５】
前記液体孔は隣り合うトラフ上でオフセットして配置され、前記流体がドライサイド間の空間をバイパスすることを特徴とする請求項１４に記載の間接蒸発冷却器。
【請求項１６】
前記ウェットサイド上で前記液体を分配するために、前記プレートの前記ウェットサイドに吸上げ層を具えたことを特徴とする請求項１または請求項１４に記載の間接蒸発冷却器。
【請求項１７】
ａ）ドライサイド（９）およびウェットサイド（１０）を有するとともに、トラフ（７２）が形成された熱伝達プレートを複数用意する工程と、
ｂ）前記ウェットサイド同士が対向し、前記ドライサイド同士が対向するようにして前記複数のプレートを平行に配列させる工程と、
ｃ）前記トラフに蒸発液体を提供する工程と、
ｄ）前記熱伝達プレートの前記ウェットサイドを前記蒸発液体で湿らせる工程と、
ｅ）前記熱伝達プレートの前記ドライサイドの部分を通って作動流を通過させる工程と、
ｆ）前記熱伝達プレートの前記ドライサイドの他の部分を通って生成流体流を通過させる工程と、
ｇ）前記熱伝達プレートの前記ウェットサイドを通って前記作動流を通過させる工程と、
ｈ）前記熱伝達プレートの前記ウェットサイド上の前記作動流内に前記蒸発液体を蒸発させることで、前記熱伝達プレートの冷却を行う工程と、
ｉ）前記ドライサイドの前記部分において前記冷却された前記熱伝達プレートに接触させることで、前記生成流および前記作動流を冷却する工程と、
を具えたことを特徴とする間接蒸発冷却方法。
【請求項１８】
ｊ）前記ドライサイド同士が向き合う前記熱伝達プレート間の空間に複数のチャネル（３，４）を設けて、前記生成流と前記作動流との分離を保持しながら流体をガイドさせる工程と、
ｋ）前記ウェットサイド同士が向き合う前記熱伝達プレート間の空間に、前記ドライサイドによる空間に備えられたチャネルに非平行な複数のチャネル（５）を設けて、前記作動流をガイドさせる工程と、
をさらに具えたことを特徴とする請求項１７に記載の間接蒸発冷却方法。
【請求項１９】
前記ドライサイドに前記複数のチャネルを設ける工程では、前記孔に最も近い前記プレートのチャネルと並行するよう、当該ドライサイドの複数のチャネルの向きが定められることを特徴とする請求項１８に記載の間接蒸発冷却方法。
【請求項２０】
前記ウェットサイドに前記複数のチャネルを設ける工程では、前記ドライサイドのガイドに非平行な方向となるよう、当該ウェットサイドの複数のチャネルの向きが定められることを特徴とする請求項１８に記載の間接蒸発冷却方法。
【請求項２１】
前記ウェットサイドの表面を濡らすために、前記プレートの前記ウェットサイドに設けられた吸上げ層（７）を介して前記液体を分配する工程をさらに具えたことを特徴とする請求項１８に記載の間接蒸発冷却方法。
【請求項２２】
前記蒸発液体に対し不浸透性である層を前記ドライサイドに設ける工程をさらに具えたことを特徴とする請求項２１に記載の間接蒸発冷却方法。
【請求項２３】
前記プレートを通る孔を形成する工程をさらに具え、前記作動流は、前記孔を通って前記ドライサイドから前記ウェットサイドに至り、続いて前記ウェットサイドを流れることを特徴とする請求項１８に記載の間接蒸発冷却方法。
【請求項２４】
前記孔を通過する前に前記作動流が間接蒸発冷却器から出て行くのを阻止するよう寸法および形状が定められたバリア（１２）を形成する工程をさらに具えたことを特徴とする請求項２３に記載の間接蒸発冷却方法。
【手続補正２】
【補正対象書類名】明細書
【補正対象項目名】００１４
【補正方法】変更
【補正の内容】
【００１４】
４．作動流または作動気体は気体の流れであり、この流れはドライ作動チャネルを介してドライサイド上の熱交換面に沿って流れ、表面の通路を通ってウェットサイドに至り、ウェット作動チャネルを通り、蒸気を拾い上げ、蒸発によって熱交換面から潜熱を取り出し、それを排気内に移送する。いくつかの実施形態においては、作動流は廃物として処分されるものでもよく、他においては、加湿や掃熱（scavenging heat）などの特別な目的に対して用いることもできる。
【手続補正３】
【補正対象書類名】明細書
【補正対象項目名】００１５
【補正方法】変更
【補正の内容】
【００１５】
５．生成流（product stream）または生成流体流（product fluid stream）は流体（気体、液体または混合物）の流れであり、これはドライ作動チャネルを介しドライサイド上の熱交換面に沿って通過し、ウェットエリア内での蒸発により潜熱を吸収するウェットサイド上の作動気体流による熱の吸収により、冷却されるものである。
【手続補正４】
【補正対象書類名】明細書
【補正対象項目名】００３０
【補正方法】変更
【補正の内容】
【００３０】
図１Ａは本発明の第１のエレメントを３次元的かつ模式的に表わし、間接冷却を生じさせる方法を説明するためのものである。このエレメントの実施形態は平坦なプレート（以下、プレート６としても参照される）として形成され、ドライサイド９をウェットサイド１０に接続する孔１１を含んでいる。ドライサイド９はさらに細分化されて生成チャネル３および作動気体ドライチャネル４に分割される。孔１１は作動気体ドライチャネル４内にある。図１Ｂを見るに、ウェットサイド１０は蒸発可能な液体によって濡らされ、冷却を行う。ウェットサイド１０もチャネル５を有している。図１Ａのドライチャネル３および４は、作動気体が乾いた生成流体から分離された状態を保つよう、分離されている。チャネルガイド８は、チャネル３および４間の気体の混合を防ぐようドライチャネル３および４を画成し、他方のサイド上の垂直気体流からプレート６を横切って比較的自由な伝達を行う。プレート６は非常に薄いものであるので、熱はこのプレートを容易に垂直に通過して横切り、ドライサイドからウェットサイドへと移動する。プレートの材料は、プレートに沿った熱伝達を最小化するよう選択される。好ましい材料は樹脂である。チャネルガイドの材料は、チャネルを画成するバリアを提供することに加え、両側に隣接する平行流から流れを可能な限り有効に絶縁して、「平行熱伝達」を低くすることもできるものとする。
【手続補正５】
【補正対象書類名】明細書
【補正対象項目名】００３１
【補正方法】変更
【補正の内容】
【００３１】
使用時には、流体１の生成流および気体２の作動流はそれぞれドライチャネル３および４に引き込まれ、プレート６のドライサイドを層流として通過する。作動気体流２は続いて孔１１を通ってウェットサイド１０に至り、チャネル５に流入する。ウェットサイド上のウェットチャネル５は、ドライサイド上を流れる流体とほぼ直交する方向に気体流を向けてプレート６のウェットサイドを通過させる。ここではいくつかの方法により熱を受容する。第１はウェットサイド１０からの液体の蒸発の形態であり、第２は伝導または輻射によってプレート６から棄てられる熱としてである。よってプレート６は熱交換器および間接蒸発冷却器として作用する。気体の流れ２は、図１Ａおよび図１Ｂに示すように、気体流２として間接蒸発冷却器６に現れる。
【手続補正６】
【補正対象書類名】明細書
【補正対象項目名】００３３
【補正方法】変更
【補正の内容】
【００３３】
この実施形態では、作動気体流２はドライチャネル４においてプレート６の中心を通る。ドライチャネル４の下のプレート６の反対側のサイドでは、気体流２はウェットサイドに接触し、蒸発によって冷却される。入口において、（チャネル４内のドライサイド上の）流れ２は、プレート６の反対サイド上の蒸発によって冷却される。これは流れ２の予冷却（precooling）として作用する。よって、流れ２がドライサイド上のチャネル４を進んで行き孔１１に入る前に、理想的には湿球温度まで、乾式冷却（dry cooled）される。ドライサイドでのこの予冷却によって、この流れがその元の温度より冷たいウェットサイドに入り、それにより続けて湿球温度より低くすることができるようになる。
【手続補正７】
【補正対象書類名】明細書
【補正対象項目名】００３６
【補正方法】変更
【補正の内容】
【００３６】
図１に描かれた実施形態において、作動ドライ気体２の生成流体１からの分離は、隣接プレート間の壁として作用するチャネルガイド８によって行われ得る。ドライチャネル４の端部において、バリアすなわち壁１２が、作動ドライ気体が出て行き生成流体と混合するのを防いでいる。もしプレート６が波形（corrugated）であれば、チャネルガイドはプレート自身の波部分として備えられる。チャネルガイドを、プレート６のいずれか一方または両方のサイドの生成流体と作動気体との間に存在させて、流体が対向プレートの波部間を通過するのを防ぐようにしてもよい。いずれの場合でも、それらは気体または流体のチャネルとして機能し、２以上の熱交換プレートを有する実施形態においては、他のプレートとのプレート６の分離状態を有効に維持することができる。加えて、波形のチャネルガイドを平坦なプレート６間において用いることもでき、この場合には付加的な分離の必要がない。
【手続補正８】
【補正対象書類名】明細書
【補正対象項目名】００４５
【補正方法】変更
【補正の内容】
【００４５】
図１Ｄは本発明の要素の第２の実施形態を３次元的かつ模式的に表わす図である。この実施形態において、プレート６には、先の実施形態のように中央部ではなく一側部に沿って孔１１が設けられている。チャネルガイド８はドライチャネル３および４を形成する。この実施形態においてチャネルガイド８はリブであるが、前述のように他のタイプのガイドとすることもできる。またチャネルガイド８はプレート６の一方の縁から気体が流出するのを防止するべく作用する。作動気体流２はチャネル４を流れ、生成流１はチャネル３を流れる。気体流２（作動気体）は、孔１１を通ってチャネル５（図には見えない）を流れ、次にプレート６の反対サイドを通って流れ、気体流２としてプレート６から離れる。
【手続補正９】
【補正対象書類名】明細書
【補正対象項目名】００５７
【補正方法】変更
【補正の内容】
【００５７】
使用時には、作動気体流および生成流体流はそれぞれドライチャネル４および３を流れ、湿度の増加を伴わずに熱交換器に熱を伝える。作動気体流は孔を通ってウェットサイドチャネル５に流入する。図７および図８は、複数のプレートを備えた蒸発冷却器を示している（３つの図では、１つのプレート（図５）、２つのプレートおよび３つのプレート（図７）をそれぞれ示しているが、プレートの数はこの範囲に限られるものではない（図１６））。プレートは、次の意味において「等しい」ものであってもよい。すなわち、孔１１と共働して気体流にプレートを通る流れを許容するべく両面にチャネルを有し、横方向には低い熱伝達レートを持つ材料で構成され、一方のサイドが不浸透性であり、ドライサイドがプレート間隙を横切る方向に相互に対向し、ウェットサイドも対向する、という意味においてである。また、本発明を実施するために、本発明のプレートを等しくすることなく、寸法を定め、形状を付けたものでもよい。プレートは平行に配置され、同様のサイドが向き合っている。本出願では、「同様のサイドが向き合う」とは、別のプレートのウェットサイドがウェットサイドに向き合い、ドライサイドが別のプレートに向き合っている事実として参照される。孔１１の配置についてはここでは言及しないが、これについては後述する。
【手続補正１０】
【補正対象書類名】明細書
【補正対象項目名】００５８
【補正方法】変更
【補正の内容】
【００５８】
ウェットサイドチャネルにおいて、気流は、先に述べたメカニズムにより蒸発冷却器のプレート６から熱を受け取る。また、先に述べたように、作動気体流２はそれ自身、その通路がチャネル４において蒸発冷却器のプレート６のドライサイドを通っていることから予冷却され、その結果本発明のデバイスによってさらなる冷却動作が行われる。さらに、先に述べたように、生成または作動空気、ないしは湿度を持つものまたは持たないもののいずれかとして供給するために、棄熱（冷たさ）に基づいて気体流が選択されるものでもよい。よって、ブロック１２（図８参照）はチャネル４の端部を封止し、所要のすべての気流２が孔１１を通ってウェットチャネルに流れ込むようにする。異なる条件下では、ブロック１２を取り去ることで気流２のいくらかがチャネル４の端部から出て行くことが許され、この結果、僅かに冷やしただけの生成空気の容積を大とすることができる。またその他の場合には、気流１のいくらか（蒸発冷却器６の中心から最も離れており、そのため最も少なく冷却される気流１の部分）をそらす、すなわちブロックするようにしてもよく、これによって僅かに冷やされた生成空気の量を少なくできる。本発明の構成に対する他の形態はまた、先に述べた通りである。
【手続補正１１】
【補正対象書類名】明細書
【補正対象項目名】００６０
【補正方法】変更
【補正の内容】
【００６０】
一実施形態においては、吸上げ供給器ホールを介して吸上げ供給器１３を通し、これによって吸上げ材に水を供給可能である。図８および図９を参照し、これについて説明する。
【手続補正１２】
【補正対象書類名】明細書
【補正対象項目名】００６３
【補正方法】変更
【補正の内容】
【００６３】
孔１１が隣接プレートの孔に直接向き合うように配列されていないプレート６を備えることが有効である。直接向き合う代わり、本発明の好適実施形態では、孔１１は隣りのプレートの孔１１からオフセットしているのである。これは蒸発冷却器１４を通る圧力降下を低減する助けとなり、それによって装置に必要なエネルギーを低減して効率が向上する。加えて、これはウェット蒸発チャネル５内での空気のよりよい分配をもたらす。
【手続補正１３】
【補正対象書類名】明細書
【補正対象項目名】００６４
【補正方法】変更
【補正の内容】
【００６４】
冷却器１４はまた、水のリザーバ１７、ポンプ１５および吸上げ供給器１３を有する。水はポンプ１５によってリザーバ１７から取り出され、吸上げ供給器１３まで揚げられる。リザーバ補充ライン８により、リザーバ１７に水を連続的に補充したりあるいは必要に応じて補充したりすることができる。
【手続補正１４】
【補正対象書類名】明細書
【補正対象項目名】００６５
【補正方法】変更
【補正の内容】
【００６５】
プレート（ドライおよびウェットチャネル）間の間隙はいくつかの気体または流体に対してはどれほどの量でもよいが、プレート６の間隙は本発明の効率的使用を行うために重要である。間隙が適切に選択されていれば、本発明を通る気体流の圧力降下が大いに低減され、より大きな流れを提供したり、より小さい、またはより少ないファンまたはブロワーを使用することができる。実験によれば、１．５から３．５ミリメートルの平面間間隙であることが好ましく、１．５０から１．８５ミリメートル、２．００から２．３５ミリメートル、２．１０から２．９０ミリメートル、および３．１０から３．５０ミリメートルの副範囲（sub-range）以内の間隙とすることがより好ましいと示されている。特別ないかなる理論にも拘束されるのではないが、これらの間隙とすることで、流れの過程を通じ抵抗を減らす定常波が生じると信じられている。また、これらの間隙は、乱流、非層流を阻止することができ、それがまたこの特別なプロセスにおいて抵抗（drag）および圧力降下を低減するように作用し得るのである。この適切な間隙は別の構成要素（不図示）によって維持することができ、あるいは、プレート６のリブもしくは波部として備えることのできるチャネルガイド８または他の手段により有効に提供することもできる。
【手続補正１５】
【補正対象書類名】明細書
【補正対象項目名】００６６
【補正方法】変更
【補正の内容】
【００６６】
吸上げ供給器１３はチューブを具え、チューブは少なくともその外側部分を覆う吸上げ材を有している。チューブを通る穴によって、チューブ内の水が、ウェットサイド１０上の吸上げ材７に接触している外側の吸上げ材に達し、これを湿らせることができる。水７は穴から流出して外の吸い上げ剤に流入する。そこから、吸上げ供給器の吸上げ材よりウェットサイド１０の吸上げ材７に発散させ、吸上げ材７によって覆われているウェットサイド１０の部分を通すようにしてもよい。
【手続補正１６】
【補正対象書類名】明細書
【補正対象項目名】００６７
【補正方法】変更
【補正の内容】
【００６７】
プレート６のドライサイド１０上、生成流体流１がドライチャネル３に入る一方、作動気流２はドライチャネル４に入る。作動気流は孔１１を通ってウェットサイドチャネル５に入り、前述のようにプレート６を冷却するよう機能する。４つの作動気流のみが冷却器１４から出て行き、１つだけが入って行くように示されているのは、明確化のためであることに注意すべきである。その数はいくらでもよく、この好適実施形態がそうであるように、冷却器１４の両側から出て行くものであってもよい。
【手続補正１７】
【補正対象書類名】明細書
【補正対象項目名】００６９
【補正方法】変更
【補正の内容】
【００６９】
ブロック１２（図８および図９に見られる）は作動空気２がドライチャネル４を介してデバイスから出て行くのを阻止し、強制的にウェットチャネル５を流れるようにする。換言すれば、ウェットチャネル５に対する出口は常に、孔の下流にあることになる。先に述べたように、他の実施形態においては、要求および条件に従って、生成空気のいくらかがブロック／方向転換されるものでもよく、あるいは作動空気のいくらかが生成空気として出て行くことができるようにされていてもよい。
【手続補正１８】
【補正対象書類名】明細書
【補正対象項目名】００７０
【補正方法】変更
【補正の内容】
【００７０】
前述したように、作動気流２が被る予冷却の量は、孔およびチャネル寸法を適切に選択することで部分的に決定される。また先に述べたように、プレート６の材質は横方向に低い熱伝達を提供し、よってその代わりプレート６の横方向の温度差ないし温度勾配を提供する。調節のために用いられる気流１および／または２の細分流を選択するべく、チャネル選択ダンパーを有効に用いることができ、これによって他の方法より冷却の度合いを高め、同時に出力気体の温度、湿度および量を柔軟に制御することができるようになる。
【手続補正１９】
【補正対象書類名】明細書
【補正対象項目名】００７１
【補正方法】変更
【補正の内容】
【００７１】
ファンあるいは同等なブロワーデバイスが１９および２０として模式的に示されているが（図９）、本発明はファン構成の他の実施形態にも従う。例えば、作動および生成空気１および２の双方を提供するために、強制通風（forced draft）のためのファンが用いられるものでもよい。加えて、強制通風ファンは誘引通風（induced draft）より利点がある。デバイスで用いられる蒸発プロセスによって、ファンモータにより気流１および２に加えられる寄生（parasitic）熱はさらに水を蒸発させるのに効果的に用いられ、それによって熱が自らそれを除去するのを補助し、結果として最終生成気流の温度差を小さくする。強制通風ファンは、作動空気および生成空気チャネルの双方に、それぞれを通じた圧力降下および用いられ得る外部ダンパーに従って、空気を提供する。最後に、作動空気および生成空気は異なる出口から出て行くので、２つの通風を誘引するには２つのファンが必要となるのに対し、双方の通風を強制的に行う場合には１つのファンのみで足りる。
【手続補正２０】
【補正対象書類名】明細書
【補正対象項目名】００７２
【補正方法】変更
【補正の内容】
【００７２】
スタック１４（図２０および図２１参照）をハウジング（不図示）によって囲むことができる。このハウジングはさらに、空気の流れの方向付けおよび制御を行い、また同時に装置の美観を高める。ハウジングは生成および作動気流のための入口および出口、および空気の流れの制御を行うためのダンパーを有するものとすることができる。例えば、ダンパーが第１位置にあるときに通常の冷却器として作動し、一方ダンパーが第２位置にあるときには、暖められ加湿された作動空気が生成空気となるようにすることができる。上述のように、これを再循環空気とともに用いて、冬季の空気の加湿および予加温を行うことができる。
【手続補正２１】
【補正対象書類名】明細書
【補正対象項目名】００７６
【補正方法】変更
【補正の内容】
【００７６】
蒸発冷却器６は、ドライサイド９、ウェットサイド１０、生成気流１および作動気流２、チャネルガイド８、ドライチャネル３および４、およびウェットチャネル５を有するとともに、水リザーバ１７を有している。この実施形態においては、ウェットサイド１０の吸上げ材が直接、水リザーバ１７内に置かれているので、ポンプおよび吸上げ供給器は必要とされない。しかしプレートが傾けられていなければ、冷却器６のプレートの幅は、吸上げ材の最大吸上げ高さに制限される。先に述べたように、傾斜によってより効率的な吸上げが行われる。この実施形態はまた、本発明間接蒸発冷却器の一例であり、プレートの一方のサイドのみからの排気を用いる。
【手続補正２２】
【補正対象書類名】明細書
【補正対象項目名】００８４
【補正方法】変更
【補正の内容】
【００８４】
図１２、図１３および図１４に示す吸上げ供給器プレート１３の実施形態は、固体の吸上げ供給器プレートの工夫（refinement）である。図１２のチャネルないし溝５０、図１３の穴、あるいは図１４のサンドイッチ構造はすべて、吸上げ供給器に液体が供給される頂部から底部に速やかに液体を導くことを可能とし、より速やかに吸上げ材を湿潤化させるためのものである。分配の補助を実現するための他の方法には、吸上げ供給器の側部に沿って配設されたロッド５７を含むことができる（図１２参照）。
【手続補正２３】
【補正対象書類名】明細書
【補正対象項目名】００９５
【補正方法】変更
【補正の内容】
【００９５】
図１８は他の実施形態によるトラフ７２を底部にもつ熱交換プレートを示し、タイプ１のプレート７０およびタイプ２のプレート７１がある。タイプ１およびタイプ２のプレートには、形成されたトラフ１１の外側に、気体流２のための孔１１がある。トラフ７２は、プレートのウェットサイドで使用される液体１を保持・分配するために用いられる。タイプ１のプレート７０においてはウェットサイド１０が見えている。この表面上で吸上げ作用を行う材料７とともに、トラフの表面が見えている。
【手続補正２４】
【補正対象書類名】明細書
【補正対象項目名】００９７
【補正方法】変更
【補正の内容】
【００９７】
ウェットサイド上で、作動気体チャネル５は、他の実施形態と同様に外側縁に向かって傾斜しており、他の実施形態と同様に気体孔１１を介してドライサイド９から作動気体２を受容する。作動気体２の流れによって、プレートのウェットサイド上で外方への液体の分配が補助される。
【手続補正２５】
【補正対象書類名】明細書
【補正対象項目名】００９８
【補正方法】変更
【補正の内容】
【００９８】
タイプ２のプレート７１において、生成チャネル３および作動ドライチャネル４はチャネルガイド８によって分離されている。液体孔７３はトラフの底部に設けられており、上のリザーバから、または供給器チューブ７５から来る液体が、次の低部プレート内の下のリザーバに流入可能となる。
【手続補正２６】
【補正対象書類名】明細書
【補正対象項目名】００９９
【補正方法】変更
【補正の内容】
【００９９】
多数のプレートがある場合、対向するウェットサイドによって作動ウェットチャネル５が形成され、反対側のサイドがドライチャネル３を形成して、そこにトラフ７２が形成される。スタックに入る位置がどこであれ、液体１は滝状に流れてタイプ１の各トラフに集められ、ウェットチャネルリザーバ７４に溜まる。図１９はこの流れを示している。
【手続補正２７】
【補正対象書類名】明細書
【補正対象項目名】０１００
【補正方法】変更
【補正の内容】
【０１００】
図２０はより完全なスタック１４を示し、上部トラフに液体１を分配するための供給器チューブ７５を有している。端部には、図８に示したものと同様に作動気体チャネル４を封止するためのバリア１２があり、作動気体２が気体孔１１を介して隣接ウェットチャネル５に向かうようにしている。図１８に示したように、生成チャネル３は、プレートのドライサイドのための作動気体チャネル４から分離されている。
【手続補正２８】
【補正対象書類名】明細書
【補正対象項目名】０１０６
【補正方法】変更
【補正の内容】
【０１０６】
【図１Ａ】本発明方法の第１実施形態を３次元的かつ模式的に表わす図であり、プレートのドライサイドからウェットサイドへの孔もしくは通路を通過する気体の冷却を行うための、作動気体の気体流路を示している。プレートのドライサイドは生成流体路からの作動気体路の分離を保持するセパレータを有している。
【図１Ｂ】図１Ａの反対側を表わす模式的斜視図であり、チャネルをもつウェットサイドを示すとともに、通路を通った後に、蒸発が生じるチャネルのウェット表面に沿って流れる作動気体を示している。
【図１Ｃ】図１Ａおよび図１Ｂのような二つのプレートを表わす模式的斜視図であり、それらの通路を同じ全域にわたって方向付けて相互対向させた第１および第２プレートの、ウェットサイドによって形成されたウェットサイドチャネルを示すとともに、ドライサイドに入り、通路を通ってウェットサイドチャネル内に流れる作動気体を示している。生成流体および作動気体は、それらが第１および第２プレートのドライサイドに沿って通過するので分離されている。付加的なプレートが、これら第１および第２プレートのドライサイドと対向するドライサイドをもつ隣接プレートを有するものでもよい。よって、プレートのスタックは、ドライサイドが同じ方向に向いた奇数番プレートと、すべて反対向きの偶数番プレートとからなるものとなる。
【図１Ｄ】本発明のこの形態の第２実施形態を３次元的かつ模式的に表わす図であり、分離した作動ドライ経路から孔または通路を通ってウェットサイドに入り、ウェット作動チャネルのウェット表面を通過した後にプレートの一側から出て行く作動気体の流路を示している。
【図２】本発明のこの形態の第３実施形態を３次元的かつ模式的に表わす図であり、本発明が気流の加温および加湿に用いられるときの作動気体の流路を示している。
【図３】本発明のこの形態における第４実施形態の流路を３次元的かつ模式的に表わす部分図であり、本発明が除湿された生成流体の冷却に用いられるときの作動気体の流れを示すとともに、さらに使用状況（context）における生成流体の流れを示している。
【図４】本発明のこの形態における第５実施形態の流路を３次元的かつ模式的に表わす部分図であり、本発明が再循環する気体を用いるときの作動および生成気体の流れを示すとともに、さらに使用状況における生成流体の流れを示している。
【図５】多数のチャネルをもつ拡張された組み立て体を３次元的かつ模式的に表わす図であり、ドライサイドの流れ、付加的な孔および付加的なチャネルガイドを示しており、孔は膜の中程を占めている。ドライ作動気体が入り込み、通路を通過し、ウェットサイド（不図示）に至る。
【図６】図５と同じ拡張された組み立て体を３次元的かつ模式的に表わす図であり、ドライ作動気体が通路を通過した後のウェットサイドの気体の流れを示している。プレートの表面は、液体を吸上げ供給器方式によりプレートの縁に移送し、蒸発冷却のためにその液体を供給する吸上げ材を有している。
【図７】付加的なプレートをもつ図５の組み立て体の断面図であり、中央部から上方に角度を付けたサイドウィングとともに気体の流れを示している。プレート上部にはそのドライ表面を有している。このプレートの底部は湿っていて、チャネルはドライサイドチャネルの直交方向に案内する。第２のプレートは第１プレートのウェット表面に向き合うウェット表面をもち、第１および第２プレート間のチャネルを湿らせる。第２プレートは底部にドライ表面をもつ。ドライ表面同士、ウェット表面同士が揃うよう、プレートが連続する。
【図８】２側面コアの斜視図であり、コアはその２側面間に配置される吸上げ供給器プレートがと、中心からコア層の向きに上方に角度を付けたウィングとを持つ。
【図９】本発明の組み立て体の部分的な分解斜視図であり、コアの上方に角度を付けたウィングとともに気体の流れおよび流体の流れを模式的に表わすものを含んでいる。
【図１０】リザーバによりプレート上の吸い上げ材に供給される液体とともに、図１Ｄのようなプレートを用いる本発明の実施形態の部分的な分解斜視図である。ドライ−ドライの表面およびウェット−ウェットの表面をもつ連続プレートがあってもよい。
【図１１】２つのウィング間にセンター吸上げ供給器プレートをもち、ウィングが中心から下方に角度が付けられ、各層のエリア内で孔が中央の吸上げ器（wick）に近接して配置されてなる２部分コアの斜視図である。
【図１２】図８において用いられる吸上げ供給器の実施形態であり、最高点から最低点までの行程の全体または幾分かに及ぶ溝をもち、吸上げ器の底部に速やかに液体を移送して過剰液体を排出できるようにしたものである。
【図１３】吸上げ供給器プレートの内部を通る穴をもつ吸上げ供給器プレートの第２実施形態を示す。
【図１４】吸上げ供給器プレートの外周への速やかな液体供給を補助するとともに、排出を補助するためにサンドイッチ構成とした吸上げ供給器プレートの第３実施形態を示す。サンドイッチ構成は、２つの異なる多孔率を持つ材料を具え、中間層が外層より大きい多孔率を有している。
【図１５】図示の空気通路をもつ図８と同様の２つのコアの斜視図であり、２コア間に分離ギャップを有して通路を複数のセグメントに分け、これによって大きな通路を分割して順次に熱伝達を禁止する境界層を作り出すことで、伝熱速度を高めるようにされてなるものを示している。
【図１６】図８、図１５および他の実施形態のような組み立て体において用いることのできる吸上げ供給器プレートに関連したリザーバ配管およびバルブの組み立て体である。上部リザーバは吸上げ供給器プレートに供給を行う。低部リザーバは、フロートバルブを用い、吸上げ器の液体が不足して低部リザーバ内が低いリザーバレベルとなったかを判定し、フィーダーバルブをオンとして開けて上部リザーバに液体がより多く供給されるようにする。
【図１７】図８のコア組み立て体を組み込んでなる図１６のリザーバーシステムを示す。
【図１８】他の実施形態の斜視図であり、作動チャネルおよび気体孔が示されるようウェットサイドを上に向けた状態でタイプ１のプレートを示している。プレートにはトラフが形成され、これは液体がトラフ内の所定レベルに達した後に液体を次の層に通すための液体孔を有する（図１８の底部）。また、タイプ１のプレートと同様の第２トラフプレートのタイプ２がドライサイドを上に向けた状態で示され、これは生成および作動チャネルをもつとともに、トラフの底部（図１８の上側）の位置に液体孔を有している。
【図１９】タイプ１プレート、タイプ２プレート、第２のタイプ１プレート、第２のタイプ２プレートおよび第３のタイプ１プレートをもつプレートスタックの模式図であり、液体が上のプレートから第２プレートのトラフの上側に入り、液体孔から出て次の下方プレートのトラフに落ちるときの通路を示している。タイプ１では、液体がトラフの両側の液体孔のレベルに達するまでリザーバ内に液体が収容されてから出て行き、下にある次のタイプ２プレートのトラフに進んで行く。よって液体は各タイプ１プレート内の液体のリザーバから滝状に流れ下る。
【図２０】タイプ１およびタイプ２プレートのスタックを模式的に示す斜視図であり、このスタックの上部トラフに液体を供給するための液体供給チューブを有するとともに、空気および液路を正しい通路に制御するための作動エアシールおよび上部プレートを有している。
【図２１】図２０のようなタイプ１およびタイプ２プレートのスタックを模式的に示す斜視図であり、２以上のレベルに配置した液体供給チューブを有するとともに、液体を集める底部リザーバを有し、使用レートに応じてスタックに液体を加える必要があるかをモニタ装置で検出するようにしたものがこの図に示されている。
【手続補正２９】
【補正対象書類名】図面
【補正対象項目名】図１Ａ
【補正方法】変更
【補正の内容】
【図１Ａ】
2005513392.tif 000001
【手続補正３０】
【補正対象書類名】図面
【補正対象項目名】図１Ｃ
【補正方法】変更
【補正の内容】
【図１Ｃ】
2005513392.tif 000002
【手続補正３１】
【補正対象書類名】図面
【補正対象項目名】図１Ｄ
【補正方法】変更
【補正の内容】
【図１Ｄ】
2005513392.tif 000003
【手続補正３２】
【補正対象書類名】図面
【補正対象項目名】図２
【補正方法】変更
【補正の内容】
【図２】
2005513392.tif 000004
【手続補正３３】
【補正対象書類名】図面
【補正対象項目名】図３
【補正方法】変更
【補正の内容】
【図３】
2005513392.tif 000005
【手続補正３４】
【補正対象書類名】図面
【補正対象項目名】図８
【補正方法】変更
【補正の内容】
【図８】
2005513392.tif 000006
【手続補正３５】
【補正対象書類名】図面
【補正対象項目名】図９
【補正方法】変更
【補正の内容】
【図９】
2005513392.tif 000007
【手続補正３６】
【補正対象書類名】図面
【補正対象項目名】図１８
【補正方法】変更
【補正の内容】
【図１８】
2005513392.tif 000008
【手続補正３７】
【補正対象書類名】図面
【補正対象項目名】図２１
【補正方法】変更
【補正の内容】
【図２１】
2005513392.tif 000009